(57)【要約】第１２１０および第２の２４０原料は、水素化処理された第１の原料２１０の少なくともいくつかを含む蒸気流を提供する高温分離装置２３０を使用して、統合された水素化プラント２００において水素化処理され、硫黄の極度に低い生成物を生成するための第２の水素化処理リアクタ２５０に供給される混合された第２の原料を形成するために、第２の原料２４０は、分離装置２４０の下流側かつ第２の水素化処理２５０リアクタの上流側位置で、蒸気流と混合される。
2005521778.tif 000002
【特許請求の範囲】
【請求項１】
第１の原料を収容し、かつ水素化処理された第１の原料を生成する、第１の水素化処理リアクタと、
水素化処理された第１の原料を収容し、かつ高温の水素化処理された液体、および水素化処理された第１の原料の少なくとも一部を含む高温の水素化処理された蒸気を生成する、高温分離装置とを含むプラントであって、
高温の水素化処理された蒸気の少なくとも一部が、生成物を形成するための第２の水素化処理リアクタに供給される混合された第２の原料を形成するために、第２の原料と混合され、
第２の原料は、第１の原料よりも低い沸点範囲を有する、プラント。
【請求項２】
高温分離装置が、約４５０°Ｆから５５０°Ｆの間の温度で動作する、請求項１に記載のプラント。
【請求項３】
高温分離装置が、約１２００ｐｓｉから約２４００ｐｓｉの間の圧力で動作する、請求項２に記載のプラント。
【請求項４】
第１の水素化処理リアクタが第１の圧力で動作し、第２の水素化処理リアクタが第２の圧力で動作し、第２の圧力が、第１の圧力より０から３００ｐｓｉの間の圧力分低い、請求項１に記載のプラント。
【請求項５】
第１の圧力が、約１０００ｐｓｉから２４００ｐｓｉの間の圧力である、請求項４に記載のプラント。
【請求項６】
第１の原料が軽油を含む、請求項１に記載のプラント。
【請求項７】
第２の原料がディーゼルオイルを含む、請求項６に記載のプラント。
【請求項８】
第１の原料および第２の原料が、約１：１から約１：２の間の比率を有する、請求項７に記載のプラント。
【請求項９】
第１および第２の水素化処理リアクタのうち少なくとも一つは、水素含有流を更に収容する、請求項１に記載のプラント。
【請求項１０】
水素含有流の少なくとも一部が、第２の水素化処理リアクタの廃物からプラントに再循環される、請求項９に記載のプラント。
【請求項１１】
水素の多い流れの少なくとも一部が補給水素流である、請求項９に記載のプラント。
【請求項１２】
高温分離装置および第２の水素化処理リアクタが、改良として既存の水素化処理プラントに統合される、請求項１に記載のプラント。
【請求項１３】
水素化処理された第１の原料を生成するために、第１の水素化処理リアクタにおいて第１の原料を水素化処理することと、
高温の水素化処理された液体、および水素化処理された第１の原料の少なくとも一部を含む高温の水素化処理された蒸気を生成する高温分離装置に、水素化処理された第１の原料を供給することと、
混合された第２の原料を形成するために、高温の水素化処理された蒸気の少なくとも一部を第２の原料と混合することと、
生成物を形成するために、混合された第２の原料を第２の水素化処理リアクタに供給することとを含む水素化処理の方法であって、
第２の原料が、第１の原料よりも低い沸点範囲を有する方法。
【請求項１４】
第１の原料が軽油を含み、第２の原料はディーゼルを含む、請求項１３に記載の方法。
【請求項１５】
高温分離装置が、約４５０°Ｆから５５０°Ｆの間の温度、および約１２００ｐｓｉから約２４００ｐｓｉの間の圧力で動作する、請求項１３に記載の方法。
【請求項１６】
第１の水素化処理リアクタが第１の圧力で動作し、第２の水素化処理リアクタは第２の圧力で動作し、および第２の圧力が、第１の圧力より０から３００ｐｓｉの間の圧力分低い、請求項１５に記載の方法。
【請求項１７】
第１の圧力が、約１０００ｐｓｉから２４００ｐｓｉの間の圧力である、請求項１６に記載の方法。
【請求項１８】
第１の原料および第２の原料が、約１：１から約１：２の間の比率を有する、請求項１３に記載の方法。
【請求項１９】
高温分離装置および第２の水素化処理リアクタが、改良として既存の水素化処理プラントに統合される、請求項１３に記載の方法。
【発明の詳細な説明】
【技術分野】
【０００１】
本発明の分野は、石油化学であり、特にディーゼルの水素化処理、および軽油原料の流動式接触分解である。
【背景技術】
【０００２】
水素化処理は、酸素、窒素、硫黄、および不飽和炭化水素を含む不純物を取り除くために、触媒の存在下で、水素が炭化水素系原料と接触する、現代の多くの精製装置において一般的に使用される工程である。従って、水素化処理は、精製された中間物から硫黄含有物を減らすためにしばしば使用され、また一般に水素化脱硫とも呼ばれる。水素化脱硫は、接触改質器、接触分解器、および水素化分解器の供給前処理を含む工程、ナフサ、ディーゼル、ジェット、暖房用油と残留物、オレフィンの飽和、および多環式芳香族のための生成物品質改良と組み合わせられて、精製装置内で一般的に使用される。従来技術において知られている水素化処理構成および工程が多数あり、様々な工程における水素化処理リアクタの統合に導かれる、エネルギーおよび物質消費を軽減するための努力が引き続きなされている。
【０００３】
例えば一つの統合コンセプトにおいて、新しい原料が、水素化分解段階からの廃物と結合され、結合された流れが、次いで水素化処理段階に導入される、二段階の水素化分解工程を記述している、Ｈｅｎｇｓｔｅｂｅｃｋによる米国特許第３，３２８，２９０号に開示されるように、水素化処理器が水素化分解器に結合される。高沸点留分は、次いで水素化処理器廃物から分離され、軽質生成物および重質底部流を生成するよう分留され、次いで水素含有ガスと共に水素化分解段階に再循環される。
【０００４】
別の例示であるＢｅｒｔｒａｍによる米国特許第６，２３５，１９０号は、統合された水素化処理および水素化分解工程を記述し、この工程において、異なる活性を有する二つの水素化処理触媒は、改良された生成物を提供するように直列に作用され、この改良された生成物は、次いで、水素化処理された廃物を還元された芳香族炭化水素含有物を有する軽質生成物に転化するために、水素化分解工程にかけられる。
【０００５】
更なる例示において、Ｇｅｎｔｒｙらによる米国特許第６，２６１，４４１号に記述されるように、ナフサ製品、ナフサの沸点範囲を超えて沸騰する蒸留物、および潤滑剤を生成するために、水素化分解段階の後に、単一の原料および底部留分再循環と共に水素化脱ろう段階が続く、結合された水素化処理／水素化分解工程が記述される。
【０００６】
Ｋａｌｎｅｓによる米国特許第６，３２８，８７９号に記述されるように、また別のシステムにおいて、生成物が原料よりも低い沸点範囲を有する、二つの原料から様々な生成物を生成するための、水素化分解区域、水素化処理区域、および高圧生成物ストリッパを使用する、接触水素化分解工程において、二つの独立した原料が水素化分解される。
【０００７】
あるいは、一つよりも多い水素化処理リアクタおよびまたは触媒床が、Ｐａｒｋｅｒによる米国特許第３，５３７，９８１号、またはＣｏｏｐｅｒによる米国特許第６，１０３，１０５号に記述されるような、接触水素化のために使用されてよい。Ｐａｒｋｅｒの工程が、第２の水素化処理リアクタと直列の分離装置に結合される第１の水素化処理リアクタを使用する一方、Ｃｏｏｐｅｒらは、分離装置の使用なしに二つの直列接続された水素化処理触媒床を使用する。しかしながら、ＣｏｏｐｅｒおよびＰａｒｋｅｒの構成の両方は、一般的に単一の原料のみに限定される。あるいは、Ｈｕｎｔｅｒによる米国特許第５，９５８，２１８号に記述されるように、水素がリアクタの間を直列に流れる一方、二つの炭化水素原料は並列に水素化処理される。Ｈｕｎｔｅｒの構成は、二つの少なくとも多少は異なる原料の水素化処理を可能にするが、接触リアクタは、一般的に異なる水素分圧において動作する。従って、原料の平衡は、所望の生成物を生成するために特別な水素分圧と適当に平衡を保たれる必要があろう。
【発明の開示】
【発明が解決しようとする課題】
【０００８】
従って、多くの統合された工程は、別の知られている構成および方法に対して少なくともいくつかの利点を提供するが、このような構成および方法は、単一の沸騰範囲（例えばナフサ、ディーゼル、軽油、残油）原料の水素化分解または水素化処理を含む工程にしばしば限定される。その結果、知られている水素化処理工程の全てまたはほとんど全ては、一つ以上の原料が使用される個々のプラントを必要とする。従って、石油化学製品の水素化処理のための改善された構成および方法を提供する必要性が未だ存在する。
【課題を解決するための手段】
【０００９】
本発明は、水素化処理プラントのための構成および方法、および、異なる沸点範囲（例えば軽油およびディーゼルオイル）を有する少なくとも二つの原料が水素化される、特に統合された水素化処理プラントのための構成および方法に関する。
【００１０】
本発明の主題の一つの態様において、想定されるプラントは、第１の原料を収容し、かつ水素化処理された第１の原料を生成する、第１の水素化処理リアクタを含み、更に、水素化処理された第１の原料を収容し、かつ高温の水素化処理された液体、および水素化処理された第１の原料の少なくとも一部を含む高温の水素化処理された蒸気を生成する、高温分離装置を含む。生成物を形成するための第２の水素化処理リアクタに与えられる混合された第２の原料を形成するために、高温の水素化処理された蒸気の少なくとも一部が、第２の原料と混合され、第２の原料は、第１の原料よりも低い沸点範囲を有する。この構成は、第２の水素化処理リアクタの生成物の硫黄含有量が、極めて低レベルで維持されなければならない場合、特に適用可能である。
【００１１】
更に想定される態様において、特に第１の原料および第２の原料の充満率が、約１：１から約１：２の間の比率を有する場合、軽油の第１の原料およびディーゼルオイルの第２の原料は、特に有効であると考えられる。適切な場合には、第１および／または第２の水素化処理リアクタは、更に水素含有流を収容し、水素含有流のいくつかまたは全ては、第２の水素化処理リアクタの廃物からプラントに再循環されてよく、または補給（メークアップ）水素流でもよい。更に、本発明の主題による構成は、新規なプラントにおいて実現されてよいことが想定される。しかしながら、高温分離装置および第２の水素化処理リアクタはまた、改良として既存の水素化処理プラントに統合されてもよい。
【００１２】
従って、水素化処理の方法は、水素化処理された第１の原料を生成するための第１の水素化処理リアクタにおいて、第１の原料が水素化処理されるステップを含んでよい。別のステップにおいて、高温の水素化処理された液体、および水素化処理された第１の原料の少なくとも一部を含む高温の水素化処理された蒸気を生成する高温分離装置に、水素化処理された第１の原料が与えられ、また別のステップにおいて、高温の水素化処理された蒸気の少なくとも一部が、混合された第２の原料を形成するために第２の原料と混合される。更に別のステップにおいて、混合された第２の原料は、生成物を形成するために第２の水素化処理リアクタに与えられる。
【発明を実施するための最良の形態】
【００１３】
原料の水素化処理を使用する、脱硫および／または脱窒のための様々な知られている構成および工程は、フィード内の硫黄含有および／または窒素含有化合物からＨ２Ｓおよび／またはＮＨ３を形成するために、触媒の存在下で炭化水素系フィードが水素と反応する、水素化処理リアクタを使用する。従来技術の図１は、このようなプラントのための代表的な構成１００を描いている。この図において単一原料（例えばディーゼル）１１０は、ヒータ１２０を通過し、その後水素化処理リアクタ１３０に供給される。水素は（「ライン１４１を介して」別々に、または「ライン１４２を介して」原料と結合して）、水素化処理リアクタの触媒に加えられ、水素化処理された生成物１１２は、（クーラ１８０における冷却ステップの後）分離装置１５０において、主として水素および硫化水素を含むガス状部分１１２Ａと、水素化処理された軽油、天然のナフサ、および残りのサワーガスを含む液体部分１１２Ｂとに分離される。ガス状部分からの水素は、一般に、アミン含有溶剤を有する吸収装置１５２において浄化され、コンプレッサ１６０を介して水素リアクタ内へ（上へ）再循環される。水素化処理されたフィード１１２Ｃは、次いで、天然のナフサ１１２Ｄおよびサワーガス１１２Ｅとともにコラム１７０から回収されることができる。このような構成は、単一型原料（例えば軽油、ディーゼルなど）に対し比較的良好に作用する一方、多数の原料（例えば軽油およびディーゼル）を有する知られているプラントは、一般的に、このようなプラントの建設および実施に著しく費用を追加する、多数の別々の水素化処理構成を必要とする。
【００１４】
炭化水素系フィードを水素化処理するための構成および方法を改善するための従来技術の努力において、多数型の原料（すなわち、異なる沸点範囲を有する原料、例えば軽油およびディーゼル）は、統合された構成において水素化処理されることが可能であり、その構成において、高温分離装置は、第１および第２の水素化処理リアクタに流動結合され、また単一水素再循環ループ（例えば、クーラかまたは熱交換器、液体／ガス分離装置、アミンスクラバ、およびコンプレッサを備える）が、両方の水素リアクタに使用されることが可能であることを、発明者らは見出した。
【００１５】
従って、本発明の主題の特定の好ましい態様において、プラントは、第１の原料を収容し、かつ水素化処理された第１の原料を生成する、第１の水素化処理リアクタと、水素化処理された第１の原料を収容し、かつ高温の水素化処理された液体、および水素化処理された第１の原料の少なくとも一部を含む高温の水素化処理された蒸気を生成する、高温分離装置とを含み、高温の水素化処理された蒸気の少なくとも一部が、生成物を形成するための第２の水素化処理リアクタに供給される混合された第２の原料を形成するために、第２の原料と（好ましくは分離装置の下流側位置および第２の水素化リアクタの上流側位置で）混合され、第２の原料は、第１の原料よりも低い沸点範囲を有する。更に想定される態様において、分離装置、第１の水素化処理リアクタ、および第２の水素化処理リアクタは、生成物が、１００ｐｐｍより少ない、より好ましくは５０ｐｐｍより少ない、最も好ましくは１５ｐｐｍより少ない硫黄含有量を有するように動作する。
【００１６】
図２は、二つの異なる炭化水素系原料が、単一の水素再循環ループを有する統合された構成を使用して水素化処理される、水素化処理プラント２００の代表的な構成を描いている。図２において、第１の原料２１０（例えば軽油）は、水素化処理された第１の原料２１０’に対し熱交換され、第１の水素化処理リアクタ２２０内に導入される前にヒータ２０２Ａにおいてさらに加熱される。水素化処理された第１の原料２１０’は、次に高温分離装置２３０に供給され、高温分離装置２３０は、水素化処理された第１の原料２１０’を、高温の水素化処理された液体２１０’Ｌ、および水素化処理された第１の原料２１０’の少なくとも一部を含む高温の水素化処理された蒸気２１０’Ｖに分離する条件のもと動作する。高温の水素化処理された蒸気２１０’Ｖは、次いで、第２の水素化処理リアクタ２５０に（生成物２６０に対する熱交換およびヒータ２０２Ｂでのさらなる加熱の後）供給される混合された第２の原料２４０’を形成するために、第２の原料２４０（たとえばディーゼルフィード）と混合される。第２の水素化処理リアクタ２５０は、生成物２６０を生成する。下流側分離装置２７０は、生成物２６０から水素の少なくとも一部を回収し、回収された水素は、コンプレッサ２９０を介し第１の分離装置で使用される水素の少なくとも一部を結局は提供する（低温分離装置２８２および吸着装置２８４を含む）水素再循環ループ２８０に供給される。従って、想定される構成において、第１の原料の少なくとも一部が、水素化処理原料から少なくとも分離され、かつ第２の原料が水素化処理される水素化処理リアクタに供給されるよう、高温分離装置が動作することを認識されたい。
【００１７】
「水素化処理リアクタ」および「水素化分解リアクタ」という用語は、同じ型のリアクタを指していないことを、特に認識されたい。本明細書で使用されるように、「水素化処理リアクタ」という用語は、（ａ）１５％よりも少ない転化、またより一般的には１０％よりも少ない転化をもたらす条件、および（ｂ）炭化水素含有フィードにおける硫黄および窒素含有化合物からのＨ２Ｓおよび／またはＮＨ３の形成をもたらす条件のもと、触媒の存在下で炭化水素含有フィードが水素と反応するリアクタを指している。対照的に、本明細書で使用される「水素化分解リアクタ」という用語は、炭化水素含有フィードが、軽質生成物に転化される（すなわち平均分子量が減少する）リアクタを指しており、「転化」または「転化される」という用語は、新しいフィードの特定のパーセンテージが、中間蒸留物、ガソリン、および軽質生成物に変化することを意味する（例えば「Ｈｙｄｒｏｃｒａｃｋｉｎｇ  Ｓｃｉｅｎｃｅ  Ａｎｄ  Ｔｅｃｈｎｏｌｏｇｙ」  ｂｙ  Ｊ．  Ｓｃｈｅｒｚｅｒ  ａｎｄ  Ａ．  Ｊ．  Ｇｒｕｉａ；  Ｍａｒｃｅｌ  Ｄｅｃｋｅｒ，  Ｉｎｃ．を参照）。従って、想定される水素化分解リアクタは、少なくとも１５％、より一般的には少なくとも３０％、また最も一般的には少なくとも５０％の転化を有する。
【００１８】
また本明細書で使用されるように、「高温分離装置」という用語は、高温分離装置が、少なくとも部分的に水素化処理された（またはその逆に少なくとも部分的に浄化された）第１の原料を、約４００°Ｆ以上の温度で収容するよう、少なくとも二つの水素化処理リアクタに流動結合される分離装置を指し、高温分離装置は、（ａ）第１の原料の少なくとも一部を含み、かつ（ｂ）第２の水素化処理リアクタに供給される、高温の水素化処理された蒸気を生成する。
【００１９】
第１および第２の原料（それぞれ２１０および２４０）に関し、様々な炭化水素系原料が使用に適当であると考えられ、特に想定される態様において、第１の炭化水素系原料は軽油を含み、第２の炭化水素系原料はディーゼルを含むことを認識されたい。更にまた特に想定される態様において、第２の炭化水素系原料は、また上流側ＦＣＣ（流動接触分解）リアクタからのサイクルオイルも含む。しかしながら代替の態様において、適当な炭化水素系原料は、また、軽質軽油、重質軽油、直留軽油、脱アスファルト化オイル、灯油、ジェット燃料などを含む、原油または部分的に浄化された石油留分も含む。その上、適切な第１および第２の炭化水素系原料は、異なる沸点範囲を有し、第１の炭化水素系原料は、一般に、第２の沸点範囲よりも（沸点範囲における初期沸点から測定して少なくとも５℃、より一般的には少なくとも１０℃、また最も一般的には少なくとも２５℃）高い沸点範囲を有する。
【００２０】
想定される高温分離装置は、好ましくは、水素化処理された第１の原料の、液体部分および蒸気部分への分離を可能にする条件のもと動作し、蒸気部分は、水素化処理された第１の原料の少なくとも一部を含む。従って、想定される高温分離装置が、（例えば第１の原料との熱交換により）冷却されないかまたは部分的にのみ冷却される、水素化処理された第１の原料を収容することが一般的に好ましい。従って、想定される高温分離装置のための適当な動作温度は、一般的に３００°Ｆより上、より一般的には４００°Ｆより上、また最も一般的には約４５０°Ｆおよび５５０°Ｆの間の範囲にあることを認識されたい。
【００２１】
更に、適当な高温分離装置は、第１の水素化処理リアクタ内の圧力かまたはその近くの圧力において、および第２の水素化処理リアクタ内の圧力かまたはそれ以上の圧力において、動作することが想定される。従って適当な高温分離装置は、一般的に、約１０００から２５００ｐｓｉの間、またより一般的には約１２００ｐｓｉおよび約２４００ｐｓｉの圧力において動作するであろう。しかしながら、適切な場合には、圧力は、１０００ｐｓｉより少なくてもよく、特に想定される低圧力は、一般的に１０００から４００ｐｓｉの間、またそれ以下であることを認識されたい。同様に、水素化処理条件が可能とする場合、高温分離装置は、２５００ｐｓｉ以上の圧力で動作してよく、適当な高圧力は２５００から４０００ｐｓｉの間、またそれ以上の圧力を含む。
【００２２】
水素化処理された第１の原料の少なくとも一部を含む蒸気に関し、蒸気は、第１の水素化処理リアクタにおける第１の原料の成分と反応していない、かなりの量（すなわち、少なくとも２０ｍｏｌ％、より一般的には少なくとも３５ｍｏｌ％）の水素を含むことを認識されたい。更に、蒸気内の水素化処理された原料の部分はかなり変動してよく、他のパラメーターの中で、第一の材料の品質、および高温分離装置が動作する温度および圧力条件に一般に応じるであろうことが想定される。
【００２３】
蒸気内の水素化処理された第１の原料の想定される部分の成分に関し、このような部分の特定の成分は、第１の原料の特定の成分および性質に主に応じることを認識されたい。しかしながら、好ましい成分は、第２の原料の沸点範囲内にある沸点範囲を有する、少なくともいくつかの物質を含むことが一般的に想定される。
【００２４】
想定される水素化処理リアクタの寸法および容量は、一般に、少なくとも部分的に特定の原料および水素化プラントの全体の処理容量に応じるであろう。従って、全ての知られている水素化処理リアクタは、ここでの使用に適当であることが想定される。しかしながら、水素化処理リアクタは、水素化分解の比較的低いレベル（すなわち、１５％より小さい転化、より一般的には１０％より小さい転化）において、水素化を確保する条件のもと動作することが一般的に好ましい。その結果、触媒の性質はかなり変動してよい。しかしながら、好ましい水素化処理触媒は、担体（例えばアルミナ押出し）上に分散されるコバルト、モリブデン、および／またはニッケルを含む触媒を含む。
【００２５】
更に、高温分離装置を介して、第１の水素化処理リアクタを第２の水素化処理リアクタに流動結合することにより、第２のリアクタは、従来の独立したユニットよりも著しく高い圧力で動作してよく、第２のフィードを水素化処理するための要求される触媒の量を同様に更に減らすであろうということを認識されたい。本発明の主題の好ましい態様において、両方の水素化処理リアクタは、両方の原料の硫黄含有および／または窒素含有化合物の濃度を減少するのに効果的な条件のもと、動作することを特に認識されたい。従って、好ましい構成において、両方の原料は、低い沸点の生成物に実質的に（すなわち、１０％より少なく、またより一般的には８％より少なく）転化されないことを認識されたい。更に特に好ましい態様において、第２の原料は、ディーゼルを含み、またディーゼルは、水素化処理およびコラム分離の後、５０ｐｐｍより少ない、より好ましくは２５ｐｐｍより少ない、また最も好ましくは１０ｐｐｍより少ない硫黄含有生成物を含有する。
【００２６】
第１および第２の水素化処理リアクタは、好ましくは、著しい水素化分解なしに（すなわち、１５％より少ない転化、またより好ましくは１０％より少ない転化）、特定の触媒を用いる原料の水素化処理を可能にする温度で動作する。その結果、好ましい温度は、一般的に約５００°Ｆから約８００°Ｆの範囲内にあり、より好ましくは約５５０°Ｆから約７５０°Ｆの間の範囲内である。しかしながら、第１および第２のリアクタの特定の原料に応じて、温度は適宜に変動してよいことを認識されたい。第２の水素化処理装置の温度調整に関し、第２の水素化処理リアクタの温度は、第２のリアクタに供給される第２の原料の量により調整されてもよいことを認識されたい。更に、第２の水素化処理リアクタは、比較的大部分が、第１の水素化処理リアクタにより提供される熱および圧力によって動作することを認識されたい。
【００２７】
同様に、第１および第２の水素化処理リアクタの圧力は、大幅に変動してよく、また特定の圧力は、水素化に使用される特定の原料および触媒によって少なくとも部分的に決定されるであろう。しかしながら、（ａ）第１の水素化処理リアクタの動作圧力は、第２の水素化処理リアクタの動作圧力と等しいかまたはそれより高く、および（ｂ）適当な圧力は、一般的に約１０００ｐｓｉおよび２４００ｐｓｉの間の範囲内である、ということが一般的に想定される。本発明の主題の更に好ましい態様において、第２のリアクタ内の動作圧力は、第１のリアクタ内の動作圧力より０から３００ｐｓｉの間の圧力分低く、またより好ましくは、０から１５０ｐｓｉの間の圧力分低いことが想定される。
【００２８】
更に、二つの水素化処理リアクタの想定される構成への統合により、想定されるプラントの建設および動作のための経費が、著しく減少されるであろうことを認識されたい。例えば、想定される構成における水素再循環コンプレッサのための経費は、二つの独立した再循環コンプレッサのための経費よりも実質的に低いことが想定される。また別の想定される態様において、再循環ループ内の熱交換およびクーラのための要求される容量増加は、中程度からわずか程度であろうことが想定される。
【００２９】
適当な構成は、付加の水素化処理リアクタ（すなわち第３のリアクタ、第４のリアクタなど）および分離装置を含んでよく、付加のリアクタはそれぞれ、既存のまたは前述のリアクタの生成物を収容する分離装置を介して、既存のまたは前述のリアクタに流動結合されることもまた認識されたい。想定される構成における構成要素（例えば、配管、水素化処理リアクタ、コンプレッサ、熱交換器など）に関し、知られている商業上入手可能な全ての構成要素が使用されてよいことが想定される。従って想定される構成は、異なる沸点範囲および異なる製品仕様を有する二つの生成物の生成のために使用されてよく、このような構成は、既存のプラントへの改良として実施されるだけでなく、新規なプラントにおいても実現されてよい。例えば、ＦＣＣユニット上流側の既存の軽油水素化処理器は、高品質の低硫黄ディーゼル燃料を生成するための第２のリアクタ（またはリアクタ部分）を含むように改良されてよい。
【００３０】
従って、プラントの動作方法は、水素化処理された第１の原料を生成するために、第１の原料が、第１の水素化処理リアクタにおいて水素化処理されるステップを含んでよい。別のステップにおいて、水素化処理された第１の原料は、高温の水素化処理された液体、および水素化処理された第１の原料の少なくとも一部を含む高温の水素化処理された蒸気を生成する、高温分離装置に供給される。更なるステップにおいて、高温の水素化処理された蒸気の少なくとも一部が、混合された第２の原料を形成するために、第２の原料と混合され、また更なるステップにおいて、混合された第２の原料は、生成物を形成するための第２の水素化処理リアクタに供給され、第２の原料が、第１の原料よりも低い沸点範囲を有する。第１および第２の水素化処理リアクタ、高温分離装置、原料、および生成物に関し、上に記述したものと同じ考察が適用される。
【００３１】
従って、結合された水素化処理の特定の構成および方法が開示された。しかしながら、ここでの本発明の趣旨から外れることなく、既に説明したことの他にも多くの修正が可能であることが、当業者にとって明白である。本発明の主題は、従って、請求項の精神において以外に、限定されるものではない。更に明細書および請求項の両方の解釈において、全ての用語は文脈と首尾一貫した、可能な限り広範囲な方法において解釈されたい。特に、「含む」および「含んでいる」という用語は、参照された要素、成分、またはステップが、明確に参照されていない別の要素、成分、またはステップと共に存在するか、利用されるか、または結合されることを示す、非排他的な方法における要素、成分、またはステップの言及として解釈されたい。
【図面の簡単な説明】
【００３２】
【図１】従来技術の水素化処理プラントの代表的な構成の概略図である。
【図２】本発明の主題による水素化処理プラントの代表的な構成の概略図である。
【図１】
2005521778.tif 000003
【図２】
2005521778.tif 000004
【手続補正書】
【提出日】平成14年10月29日(2002.10.29)
【手続補正１】
【補正対象書類名】特許請求の範囲
【補正対象項目名】全文
【補正方法】変更
【補正の内容】
【特許請求の範囲】
【請求項１】
第１の原料を収容し、かつ水素化処理された第１の原料を生成する、第１の水素化処理リアクタと、
水素化処理された第１の原料を収容し、かつ高温の水素化処理された液体、および水素化処理された第１の原料の少なくとも一部を含む高温の水素化処理された蒸気を生成する、高温分離装置とを含むプラントであって、
高温の水素化処理された蒸気の少なくとも一部が、生成物を形成するための第２の水素化処理リアクタに供給される混合された第２の原料を形成するために、第２の原料と混合され、
第２の原料は、第１の原料の沸点範囲よりも低い沸点範囲を有する、プラント。
【請求項２】
高温分離装置が、約４５０°Ｆから５５０°Ｆの間の温度で動作する、請求項１に記載のプラント。
【請求項３】
高温分離装置が、約１２００ｐｓｉから約２４００ｐｓｉの間の圧力で動作する、請求項２に記載のプラント。
【請求項４】
第１の水素化処理リアクタが第１の圧力で動作し、第２の水素化処理リアクタが第２の圧力で動作し、第２の圧力が、第１の圧力より０から３００ｐｓｉの間の圧力分低い、請求項１に記載のプラント。
【請求項５】
第１の圧力が、約１０００ｐｓｉから２４００ｐｓｉの間の圧力である、請求項４に記載のプラント。
【請求項６】
第１の原料が軽油を含む、請求項１に記載のプラント。
【請求項７】
第２の原料がディーゼルオイルを含む、請求項６に記載のプラント。
【請求項８】
第１の原料および第２の原料が、約１：１から約１：２の間の比率を有する、請求項７に記載のプラント。
【請求項９】
第１および第２の水素化処理リアクタのうち少なくとも一つは、水素含有流を更に収容する、請求項１に記載のプラント。
【請求項１０】
水素含有流の少なくとも一部が、第２の水素化処理リアクタの廃物からプラントに再循環される、請求項９に記載のプラント。
【請求項１１】
水素の多い流れの少なくとも一部が補給水素流である、請求項９に記載のプラント。
【請求項１２】
高温分離装置および第２の水素化処理リアクタが、改良として既存の水素化処理プラントに統合される、請求項１に記載のプラント。
【請求項１３】
水素化処理された第１の原料を生成するために、第１の水素化処理リアクタにおいて第１の原料を水素化処理することと、
高温の水素化処理された液体、および水素化処理された第１の原料の少なくとも一部を含む高温の水素化処理された蒸気を生成する高温分離装置に、水素化処理された第１の原料を供給することと、
混合された第２の原料を形成するために、高温の水素化処理された蒸気の少なくとも一部を第２の原料と混合することと、
生成物を形成するために、混合された第２の原料を第２の水素化処理リアクタに供給することとを含む水素化処理の方法であって、
第２の原料が、第１の原料の沸点範囲よりも低い沸点範囲を有する方法。
【請求項１４】
第１の原料が軽油を含み、第２の原料はディーゼルを含む、請求項１３に記載の方法。
【請求項１５】
高温分離装置が、約４５０°Ｆから５５０°Ｆの間の温度、および約１２００ｐｓｉから約２４００ｐｓｉの間の圧力で動作する、請求項１３に記載の方法。
【請求項１６】
第１の水素化処理リアクタが第１の圧力で動作し、第２の水素化処理リアクタは第２の圧力で動作し、および第２の圧力が、第１の圧力より０から３００ｐｓｉの間の圧力分低い、請求項１５に記載の方法。
【請求項１７】
第１の圧力が、約１０００ｐｓｉから２４００ｐｓｉの間の圧力である、請求項１６に記載の方法。
【請求項１８】
第１の原料および第２の原料が、約１：１から約１：２の間の比率を有する、請求項１３に記載の方法。
【請求項１９】
高温分離装置および第２の水素化処理リアクタが、改良として既存の水素化処理プラントに統合される、請求項１３に記載の方法。
【国際調査報告】
2005521778.tif 000005
2005521778.tif 000006